(57)【要約】【課題】  従来よりも小型で且つ消費電力も小さい温度補償機能付送信機を提供する。【解決手段】  温度補償処理部４０は、温度検出器１０で検出した温度に応じて、変調信号生成回路３０の出力であるデジタル変調信号を直接的にデジタル信号処理して温度補償を行う。この温度補償処理の後に、Ｄ／Ａ変換回路５０を通すこととしたため、従来例と比較して、Ｄ／Ａ変換回路５０の必要数を一つ削減することができ、それに伴い、小型化や更なる省エネ化が可能となる。【選択図】      図１
2006129039.tif 000002
【特許請求の範囲】
【請求項１】
ＲＦ信号の送信出力レベルが周囲の温度の変化に応じて変動する送信機において、
自機の温度を検出して、検出した温度を表す検出信号を生成する第１手段と、
変換されて前記ＲＦ信号となるデジタル変調信号を生成する変調信号生成手段と、
温度に対応した送信出力レベルの補正量を記憶しており、前記検出信号が表す温度に応じた補正量に基づくデジタル信号と前記デジタル変調信号とをデジタル信号処理することで、デジタル信号処理後のデジタル変調信号に基づく前記ＲＦ信号の送信出力レベルの温度補償を行う温度補償処理手段と、
送信出力レベルの温度補償のためのデジタル信号処理がなされたデジタル変調信号に基づいて前記ＲＦ信号を生成する第２手段と、を備える、
送信機。
【請求項２】
前記温度補償処理手段は、
前記補正量を、対応する温度に関連づけして記憶する送信出力温度補正記憶手段と、
前記検出信号が表す温度に対応する補正量を前記送信出力温度補正記憶手段から選択する補正値選択手段と、
所定の基準温度における送信出力レベルの値を保持する初期値保持手段と、
前記補正値選択手段により選択された補正量と前記初期値保持手段が保持する前記値とから前記デジタル信号を生成する手段と、を備える、
請求項１記載の送信機。
【請求項３】
前記温度補償処理手段は、
複数の温度範囲と各温度範囲を代表する代表値とを関連付けて記憶する温度判定値記憶手段と、
前記第１手段により生成された前記検出信号が表す温度が、前記温度判定値記憶手段のいずれの温度範囲に属するかを判定して、当該温度範囲の代表値を特定する温度特定手段と、
各代表値に対応する前記補正量を、当該代表値に関連づけして記憶する送信出力温度補正記憶手段と、
前記温度特定手段により特定された代表値に対応する補正量を前記送信出力温度補正記憶手段から選択する補正値選択手段と、
所定の基準温度における送信出力レベルの値を保持する初期値保持手段と、
前記補正値選択手段により選択された補正量と前記初期値保持手段が保持する前記値とから前記デジタル信号を生成する手段と、を備える、
請求項１記載の送信機。
【請求項４】
前記温度判定値記憶手段は、各温度範囲の境界を表す閾値温度を保持しており、
前記温度特定手段は、前記検出信号が表す温度を前記閾値温度と順次比較して当該温度が属する温度範囲を判定するように構成されている、
請求項３記載の送信機。
【請求項５】
前記温度補償処理手段は、
前記デジタル信号と前記デジタル変調信号とを乗算処理することで、送信出力レベルの温度補償を行うように構成されている、
請求項１記載の送信機。
【請求項６】
前記第１手段はダイオードを有しており、
このダイオードの温度依存性により変化する順方向電圧に基づいて、前記検出信号を生成するように構成されている、
請求項１乃至５のいずれかに記載の送信機。
【請求項７】
前記第１手段はサイリスタを有しており、
このサイリスタの温度依存性により変化する電圧に基づいて、前記検出信号を生成するように構成されている、
請求項１乃至５のいずれかに記載の送信機。
【請求項８】
自機の温度を検出して、検出した温度を表す検出信号を生成する手段と、変換されてＲＦ信号となるデジタル変調信号を生成する手段と、温度に対応する前記ＲＦ信号の送信出力レベルの補正量を記憶しており、送信出力レベルの温度補償を行う処理手段と、補正された前記デジタル変調信号に基づいて、所定のアンテナから出力されるＲＦ信号を生成する手段と、を備えた送信機により実行される方法であって、
前記処理手段が、
前記検出信号が表す温度に応じた補正量を選択する段階と、
選択した前記補正量に応じたデジタル信号を生成する段階と、
生成したデジタル信号と前記デジタル変調信号とをデジタル信号処理することで、デジタル信号処理後のデジタル変調信号に基づくＲＦ信号の送信出力レベルの温度補償を行う段階と、を含む
ＲＦ信号の温度補償方法。
【請求項９】
ＲＦ信号の送信出力レベルが周囲の温度の変化に応じて変動する送信機を有するコンピュータに、
自機の温度を検出して、検出した温度を表す検出信号を生成する手段、
変換されて前記ＲＦ信号となるデジタル変調信号を生成する手段、
温度に対応した送信出力レベルの補正量を記憶しており、前記検出信号が表す温度に応じた補正量に基づくデジタル信号と、前記デジタル変調信号とをデジタル信号処理することで、デジタル信号処理後のデジタル変調信号に基づくＲＦ信号の送信出力レベルの温度補償を行う手段、
送信出力レベルの温度補償のためのデジタル信号処理がなされたデジタル変調信号に基づいてＲＦ信号を生成する手段、
を形成するためのコンピュータプログラム。
【発明の詳細な説明】
【技術分野】
【０００１】
本発明は、送信出力レベルの温度補償を行う送信機に関するものである。
【背景技術】
【０００２】
送信機は、外的、内的の様々な要因、例えば周囲の温度により、出力信号の送信出力レベルが変動することがある。そのために、送信出力レベルの補償が可能な送信機が、多数提案されている。
【０００３】
このような送信機の一例を図５に示す（従来例１）。従来例１の送信機では、変調信号生成回路１４０で生成したデジタル変調信号をＤ／Ａ変換回路１４１にてＤ／Ａ変換してＩＦ信号を生成する。生成したＩＦ信号と局部発振器１４２の出力とをミキサ１４３でミキシングした後、ＡＧＣ（Automatic Gain Control）アンプ１４４及びアンプ１４５で増幅する。増幅後に、結合器１４６及びフィルタ１４７を介してアンテナ１４８からＲＦ信号として送信する。
【０００４】
前述の通り、ＲＦ信号の送信出力レベルは、送信機の周囲温度の影響を受けて変化することがある。従来例１では、送信出力レベルを一定にすべく、送信出力レベルをフィードバック制御により補償している。
【０００５】
フィードバック制御では、まず、実質的に送信出力レベルに等しいレベルを有するアンプ１４５の出力を結合器１４６を介してダイオード検波部１４９にて検波する。次いで、その検波出力をＡ／Ｄ変換回路１５０にてデジタル信号に変換する。このデジタル信号を、比較器１５２において、メモリ１５１に格納された送信出力初期値と比較する。ここで送信出力初期値とは、所望の送信出力レベルを示している。送信機は、基準温度（例えば常温：２５℃）において送信出力初期値に相当する送信出力レベルのＲＦ信号を送信するように構成されている。従って、比較器１５２の出力は、温度変化に対応した送信出力レベルの変動分を表すことになる。演算・補正処理回路１５３は比較器１５２の出力を受けて、何ｄＢ調整するべきかを算出して、その算出結果を表す利得制御デジタル信号を生成する。利得制御デジタル信号は、Ｄ／Ａ変換回路１５４によりＤ／Ａ変換され、利得制御信号としてＡＧＣアンプ１４４に供給される。ＡＧＣアンプ１４４は、この利得制御信号により利得が調整され、ＲＦ信号の温度補償をするようになっている。
【０００６】
従来例１は、フィードバック制御（閉ループ制御）により送信出力レベルの温度補償を行う例であったが、図６に示されるように、フィードフォワード制御（開ループ制御）により送信出力レベルの温度補償を行う送信機もある（従来例２：特許文献１参照）。なお、図６に示される従来例２の送信機の各構成要素のうち、図５に示される構成要素と同一のものについては同一符号を付してある。
【０００７】
従来例２の送信機においては、従来例１の送信機のようにアンプ１４５の出力を検波する代わりに、温度検出器１５５にて送信機の周囲温度を検出し、検出した温度に応じた利得制御信号を生成して、これをもってＡＧＣアンプ１４４における利得を制御している。
【０００８】
温度検出器１５５は、例えばサイリスタを含んで構成されており、温度変化に応じた電圧信号を出力する。温度検出器１５５の出力はＡ／Ｄ変換回路１５０によりＡ／Ｄ変換されて、演算・補正処理回路１５６に入力される。演算・補正処理回路１５６は、Ａ／Ｄ変換回路１５０を介して温度検出器１５５の出力を受けると、予めメモリ１５７に格納された温度補正値を参照して、温度補償するためのＡＧＣアンプ１４４の利得を制御するための利得制御デジタル信号を生成する。利得制御デジタル信号は、従来例１の場合と同様に、Ｄ／Ａ変換回路１５４によりＤ／Ａ変換されて、利得制御信号としてＡＧＣアンプ１４４に供給さる。利得制御信号によりＡＧＣアンプ１４４の利得が調整され、ＲＦ信号の送信出力レベルが温度補償されるようになっている。
【０００９】
【特許文献１】特開２０００−１６５２６１号公報
【発明の開示】
【発明が解決しようとする課題】
【００１０】
従来例１の送信機によるフィードバック制御では、送信出力レベルを補正する上で、ダイオード検波部１４９による検波が重要になってくる。しかし、ダイオード検波では微弱な電波を検波することが困難である。例えば、免許を要しないような無線局からの電波には、３ｍの距離で５００ｕＶ／ｍという微弱な振幅となるものもあるが、ダイオード検波方式ではかかる電波を検波することは困難である。この場合、ダイオード検波の結果に従って送信出力レベルを補正しても、そのレベルを補償することはできない。
【００１１】
これに対して、従来例２の送信機の場合、サイリスタなどの再現性の高い温度検出器１５５を用いて送信機の周囲温度を検出し、検出した温度に従って送信出力レベルの制御を行っていることから、従来例１の送信機が有するような問題は生じない。
【００１２】
しかしながら、図６から明らかなように、従来例２の送信機の場合、２つのＤ／Ａ変換回路１４１、１５４が必要である。Ｄ／Ａ変換回路はハードウェアとしては比較的大きいものの一つであり、消費電力も大きいが、従来例２の構成上、デジタル変調信号のアナログ変換用に用いられるＤ／Ａ変換回路１４１と、演算・補正処理回路１５６の出力のアナログ変換用に用いられるＤ／Ａ変換回路１５４とは別体とせざるを得ない。そのため、従来例２の送信機では小型化に限界があり、また、送信機の消費電力の削減に関しても制限があった。
【００１３】
本発明は、従来例２の有する小型化の限界及び低消費電力化に関する制限を緩和し、温度補償機能を有する送信機であって、従来よりも小型で且つ消費電力も小さい送信機を提供することを課題とする。
【課題を解決するための手段】
【００１４】
上記課題を解決する本発明の送信機は、ＲＦ信号の送信出力レベルが周囲の温度の変化に応じて変動する送信機において、自機の温度を検出して、検出した温度を表す検出信号を生成する第１手段と、変換されて前記ＲＦ信号となるデジタル変調信号を生成する変調信号生成手段と、温度に対応した送信出力レベルの補正量を記憶しており、前記検出信号が表す温度に応じた補正量に基づくデジタル信号と前記デジタル変調信号とをデジタル信号処理することで、デジタル信号処理後のデジタル変調信号に基づく前記ＲＦ信号の送信出力レベルの温度補償を行う温度補償処理手段と、送信出力レベルの温度補償のためのデジタル信号処理がなされたデジタル変調信号に基づいて前記ＲＦ信号を生成する第２手段と、を備える。
【００１５】
デジタル変調信号に対して、そのまま温度補償のための処理を行う。つまり従来、ＡＧＣアンプでアナログ処理により行われていた温度補償のための処理を、デジタル処理で行う。そのために、従来、デジタル変調信号用とＡＧＣアンプの制御信号用の２つ必要であったＤ／Ａ変換回路は、温度補償後のデジタル変調信号用の１つで済むことになる。これにより、送信機自体の小型化、低消費電力化が実現できるようになる。
このような送信機は、フィードバック制御を行わず、フィードフォワード制御により温度補償を行っているので、例えば免許を要しないような無線局の微弱な電波を扱う送信機として有用である。
【００１６】
このような送信機において、前記温度補償処理手段は、例えば、以下のような構成によりデジタル信号を生成することができる。例えば、温度補償処理手段を、前記補正量を、対応する温度に関連づけして記憶する送信出力温度補正記憶手段と、前記検出信号が表す温度に対応する補正量を前記送信出力温度補正記憶手段から選択する補正値選択手段と、所定の基準温度における送信出力レベルの値を保持する初期値保持手段と、前記補正値選択手段により選択された補正量と前記初期値保持手段が保持する前記値とから前記デジタル信号を生成する手段と、を備えるように構成する。このような構成では、送信出力温度補正記憶手段を参照することで、補正量がすぐわかるようになっているので、デジタル信号が容易に生成できるようになる。
【００１７】
また前記温度補償処理手段を、複数の温度範囲と各温度範囲を代表する代表値とを関連付けて記憶する温度判定値記憶手段と、前記第１手段により生成された前記検出信号が表す温度が、前記温度判定値記憶手段のいずれの温度範囲に属するかを判定して、当該温度範囲の代表値を特定する温度特定手段と、各代表値に対応する前記補正量を、当該代表値に関連づけして記憶する送信出力温度補正記憶手段と、前記温度特定手段により特定された代表値に対応する補正量を前記送信出力温度補正記憶手段から選択する補正値選択手段と、所定の基準温度における送信出力レベルの値を保持する初期値保持手段と、前記補正値選択手段により選択された補正量と前記初期値保持手段が保持する前記値とから前記デジタル信号を生成する手段と、を備えるように構成してもよい。この場合は、温度の代表値により補正量が決められるので、送信出力温度補正記憶手段の記憶容量を小さくできる。また、温度判定値記憶手段を参照するのみで代表値の特定が容易に行える。
【００１８】
前記温度判定値記憶手段が、例えば各温度範囲の境界を表す閾値温度を保持するように構成すると、前記温度特定手段を、前記検出信号が表す温度を前記閾値温度と順次比較して当該温度が属する温度範囲を判定するように構成することで、容易に検出した温度がどの温度範囲に属するかを知ることができ、代表値の特定が容易になる。
【００１９】
以上のような温度補償処理手段が有する各記憶手段を、書き換え可能なものにするとすると、各記憶手段の内容を書き換えるだけで、送信機が様々な環境で使用されてもその環境に応じた補正量を提供することができる。そのために、どのような使用環境でも、送信機のＲＦ信号の送信出力レベルを安定させることが容易に可能となる。
【００２０】
デジタル信号処理の一例としては、乗算処理がある。この場合、例えば、前記温度補償処理手段を、前記デジタル信号と前記デジタル変調信号とを乗算処理することで、送信出力レベルの温度補償を行うように構成してもよい。
【００２１】
以上のような本願発明の送信機では、前記第１手段を、ダイオード或いはサイリスタを用いて構成することができる。これらを用いる場合、温度検出手段は、ダイオードの温度依存性により変化する順方向電圧、或いはサイリスタの温度依存性により変化する電圧に基づいて、前記検出信号を生成するように構成することができる。
【００２２】
本発明のＲＦ信号の温度補償方法は、自機の温度を検出して、検出した温度を表す検出信号を生成する手段と、変換されてＲＦ信号となるデジタル変調信号を生成する手段と、温度に対応する前記ＲＦ信号の送信出力レベルの補正量を記憶しており、送信出力レベルの温度補償を行う処理手段と、補正された前記デジタル変調信号に基づいて、所定のアンテナから出力されるＲＦ信号を生成する手段と、を備えた送信機により実行される方法である。前記処理手段が、前記検出信号が表す温度に応じた補正量を選択する段階と、選択した前記補正量に応じたデジタル信号を生成する段階と、生成したデジタル信号と前記デジタル変調信号とをデジタル信号処理することで、デジタル信号処理後のデジタル変調信号に基づくＲＦ信号の送信出力レベルの温度補償を行う段階と、を含む。
【００２３】
本発明のコンピュータプログラムは、ＲＦ信号の送信出力レベルが周囲の温度の変化に応じて変動する送信機を有するコンピュータに、自機の温度を検出して、検出した温度を表す検出信号を生成する手段、変換されて前記ＲＦ信号となるデジタル変調信号を生成する手段、温度に対応した送信出力レベルの補正量を記憶しており、前記検出信号が表す温度に応じた補正量に基づくデジタル信号と、前記デジタル変調信号とをデジタル信号処理することで、デジタル信号処理後のデジタル変調信号に基づくＲＦ信号の送信出力レベルの温度補償を行う手段、送信出力レベルの温度補償のためのデジタル信号処理がなされたデジタル変調信号に基づいてＲＦ信号を生成する手段、を形成するためのコンピュータプログラム、である。
【発明の効果】
【００２４】
本発明の送信機によれば、温度検出手段で検出した温度に応じてデジタル変調信号を直接補正して温度補償を行い、その後にＤ／Ａ変換手段によりＤ／Ａ変換するようにしたため、Ｄ／Ａ変換手段の必要数を一つ削減することができる。それに伴い、サイズ削減及び更なる低消費電力化が可能となる。
【発明を実施するための最良の形態】
【００２５】
以下、図を参照して本発明の一実施形態を説明する。
図１は、本発明の送信機の構成を示す図である。この送信機は、自機の温度に応じてＲＦ信号の送信出力レベルの温度補正を行うものである。この送信機は、温度検出器１０、Ａ／Ｄ変換回路２０、変調信号生成回路３０、温度補償処理部４０、Ｄ／Ａ変換回路５０、ＲＦ信号生成部６０、及びアンテナ７０を備えている。変調信号生成回路３０及び温度補償処理部４０はデジタル信号処理を行うための構成要素であり、一体の部品として設けられるようにしてもよい。また、変調信号生成回路３０及び温度補償処理部４０を、汎用のＣＰＵやＤＳＰ等の処理装置に本発明のコンピュータプログラムを実行させることで実現するようにしてもよい。
【００２６】
温度検出器１０は、送信機の周囲の温度を検出して、これを表す検出電圧信号を生成するものである。検出電圧信号は、検出温度に応じて変化するアナログ信号である。温度検出器１０は、例えば、ダイオードを備えており、ダイオードの順方向電圧の温度依存性を利用して、周囲温度の変化を電圧変化として検出可能なものである。例えば、順方向電流を一定に保った場合のＳｉダイオードやＧｅダイオードの温度依存性は−２ｍＶ／℃であり、これを利用して、温度変化に対してリニアに応答する電圧変化を再現性良く得ることができる。温度検出器１０は、上記のような構成の他に、従来のように、サイリスタの温度依存性を利用して構成することもできる。
【００２７】
Ａ／Ｄ変換回路２０は、温度検出器１０から入力される検出電圧信号をＡ／Ｄ変換して、デジタル化された検出電圧信号、即ち検出デジタル信号を生成するものである。生成された検出デジタル信号は、温度補償処理部４０に入力される。
【００２８】
変調信号生成回路３０は、従来技術の変調信号生成回路１４０と同様の機能を持つものであり、デジタル変調信号を生成するようになっている。従来と同様のものであるので、ここでは説明を省略する。デジタル変調信号は、温度補償のためのデジタル信号処理がなされた後に、この送信機から出力されるＲＦ信号となる。
【００２９】
温度補償処理部４０は、変調信号生成回路３０で生成されるデジタル変調信号に対して、検出デジタル信号に応じたデジタル信号処理を行い、その結果としての温度補償済デジタル変調信号を生成するものである。生成された温度補償済デジタル変調信号は、Ｄ／Ａ変換回路５０に入力される。温度補償処理部４０は、検出デジタル信号に応じて送信出力レベルの補正量を表すデジタル信号である温度補償信号を生成し、この温度補償信号とデジタル変調信号とを用いてデジタル信号処理を行うことで、デジタル変調信号がＲＦ信号に変換されて出力される際の送信出力レベルの温度補償を行うようになっている。
【００３０】
Ｄ／Ａ変換回路５０は、温度補償処理部４０から入力される温度補償済デジタル変調信号をＤ／Ａ変換して、温度補償済デジタル変調信号に対応するアナログ信号である温度補償済ＩＦ信号を生成するものである。生成された温度補償済ＩＦ信号はＲＦ信号生成部６０に入力される。
【００３１】
ＲＦ信号生成部６０は、温度補償済ＩＦ信号に対して所定のアナログ処理を行ってＲＦ信号を生成し、アンテナ７０を介して送信機外部へ送信するものである。ＲＦ信号生成部６０は、局部発振器６１と、局部発振器６１の出力と温度補償済ＩＦ信号とをミキシングするミキサ６２と、ミキサ６２の後段に設けられたアンプ６３と、アンプ６３の後段に設けられＲＦ信号をアンテナ７０に送り出すフィルタ６４とを備えている。局部発振器６１、ミキサ６２、アンプ６３、及びフィルタ６４は、それぞれ従来技術の局部発振器１４２、ミキサ１４３、アンプ１４５、及びフィルタ１４７と同様のものであり、従来と同じ機能を奏するようになっている。そのために、ここでは説明を省略する。なお、ミキサ６２とアンプ６３との間に、ＡＧＣアンプを備えるようにしてもよい。ＡＧＣアンプを備えることで、温度補償以外の理由で送信出力レベルの補正を行う際などに、利得の調整が可能になる。
【００３２】
温度補償処理部４０について詳述する。温度補償処理部４０は、温度判定値テーブル４１、温度特定部４２、送信出力温度補正テーブル４３、補正値選択回路４４、送信出力初期値を保持する初期値保持部４５、第１乗算器４６、及び第２乗算器４７を備えている。温度判定値テーブル４１及び送信出力温度補正テーブル４３は、論理的には別体であるが、物理的には、書き換え可能な同一のメモリに格納されていてもよい。
【００３３】
温度判定値テーブル４１は、例えば、図２に示されるような内容である。このテーブルは、複数の温度範囲と、各温度範囲を代表する代表値（例えば、中心値）とを関連付けして記憶するテーブルである。この実施形態においては、温度検出器１０により検出可能な温度範囲をＬ１（〜ｔ１）、Ｌ２（ｔ１〜ｔ２）、Ｍ１（ｔ２〜ｔ３）、Ｍ２（ｔ３〜ｔ４）、Ｍ３（ｔ４〜ｔ５）、Ｈ１（ｔ５〜ｔ６）、Ｈ２（ｔ６〜）の７つの温度範囲に分けており、それぞれの代表値はｌ１、ｌ２、ｍ１、ｍ２、ｍ３、ｈ１、ｈ２である。このうち、Ｍ２の代表値であるｍ２は基準温度である。各温度範囲Ｌ１（〜ｔ１）、Ｌ２（ｔ１〜ｔ２）、Ｍ１（ｔ２〜ｔ３）、Ｍ２（ｔ３〜ｔ４）、Ｍ３（ｔ４〜ｔ５）、Ｈ１（ｔ５〜ｔ６）、Ｈ２（ｔ６〜）の代表値ｌ１、ｌ２、ｍ１、ｍ２、ｍ３、ｈ１、ｈ２は離散的な値をとる。
【００３４】
温度判定値テーブル４１は、隣接する２つの温度範囲の境界となる閾値温度を保持している。例えば、温度範囲Ｌ１と温度範囲Ｌ２の境界となる閾値温度はｔ１であるので、温度範囲Ｌ１と温度範囲Ｌ２の組み合わせに対して閾値温度ｔ１を関連付けて保持している。同様に、温度範囲Ｌ２と温度範囲Ｍ１の組み合わせに対しては閾値温度ｔ２が、温度範囲Ｍ１と温度範囲Ｍ２の組み合わせに対しては閾値温度ｔ３が、温度範囲Ｍ２と温度範囲Ｍ３の組み合わせに対しては閾値温度ｔ４が、温度範囲Ｍ３と温度範囲Ｈ１の組み合わせに対しては閾値温度ｔ５が、温度範囲Ｈ１と温度範囲Ｈ２の組み合わせに対しては閾値温度ｔ６が、それぞれ関連付けられている。
【００３５】
温度特定部４２は、温度検出器１０により検出された温度が、温度判定値テーブル４１のどの温度範囲に属するかを判定して、その代表値を特定するものである。温度特定部４２は、Ａ／Ｄ変換回路２０から検出デジタル信号が入力されると、この検出デジタル信号の示す温度である検出温度が温度範囲Ｌ１、Ｌ２、Ｍ１、Ｍ２、Ｍ３、Ｈ１、Ｈ２のいずれに属するかを判定して、温度範囲の代表値を特定する。特定された代表値（温度）は補正値選択回路４４に入力される。
【００３６】
温度特定部４２は、温度判定値テーブル４１が図２に示すような内容なので、主として比較処理だけで容易に代表値を特定することができる。例えば、温度検出器１０による検出温度ｔｘが、温度範囲Ｍ１に属する場合には、以下のような比較処理により代表値を特定する。まず温度特定部４２は、検出温度ｔｘと閾値温度ｔ１とを比較して、検出温度ｔｘの方が高いことを判定する。検出温度ｔｘの方が閾値温度ｔ１よりも高いので、温度特定部４２は、次に検出温度ｔｘと閾値温度ｔ２との比較を行う。温度特定部４２は、閾値温度ｔ２よりも検出温度ｔｘが高いと判定するので、次に検出温度ｔｘと閾値温度ｔ３との比較を行う。温度特定部４２は、検出温度ｔｘよりも閾値温度ｔ３が高いと判断するので、検出温度ｔｘが閾値温度ｔ２と閾値温度ｔ３との間にあることがわかる。これにより温度特定部４２は、検出温度ｔｘが温度範囲Ｍ１に属することが分かる。
【００３７】
送信出力温度補正テーブル４３は、温度の代表値と、当該代表値に対応する補正値とを関連づけして記憶するテーブルである。補正値は、対応する代表値と基準温度（ｍ２）との温度差によって予め決められており、これにより最終的な出力の補正量が決まる。なお、基準温度の場合、温度差は０であり温度補償の必要はないので補正値も「０」である。
【００３８】
補正値選択回路４４は、送信出力温度補正テーブル４３を参照して、検出温度に対応した補正値を選択するものである。補正値選択回路４４は、温度特定部４２から代表値が入力されるようになっており、この代表値に基づいて送信出力温度補正テーブル４３を参照して、補正値を選択するようになっている。選択された補正値は、第１乗算器４６に入力される。
【００３９】
初期値保持部４５は、ＲＦ信号の基準温度における送信出力レベルの値（送信出力初期値）を表すデジタル信号を保持するものである。初期値保持部４５は書き換え可能であってもよく、この場合、ＲＦ信号の基準温度における送信出力レベルが変更されても対応できるようになる。
【００４０】
第１乗算器４６は、補正値選択回路４４により選択された補正値と初期値保持部４５に保持されている送信出力初期値とから温度補償信号を生成するものである。生成された温度補償信号は、第２乗算器４７に入力される。温度補償信号は、デジタル変調信号に対して温度補償するためのデジタル信号であり、デジタル変調信号がＲＦ信号に変換されたときの送信出力レベルを補償するための信号である。ここでは、第１乗算器４６により送信出力初期値と補正値とを乗算することで温度補償信号を生成しているが、本発明はこれに限るものではなく、送信出力初期値と補正値とから他の何らかの演算を行うことで生成するようにしてもよい。
【００４１】
第２乗算器４７は、デジタル変調信号と温度補償信号とから温度補償済デジタル変調信号を生成するものである。温度補償済デジタル変調信号は、ＲＦ信号に変換されたときに、その送信出力レベルが周囲の温度に対して補償されている。ここでは、第２乗算器４７によりデジタル変調信号と温度補償信号とを乗算することで温度補償済デジタル変調信号を生成しているが、本発明はこれに限るものではなく、デジタル変調信号と温度補償信号とから他の何らかの演算を行うことで生成するようにしてもよい。
【００４２】
以上のような送信機により、下記の処理を行うことで、送信出力レベルの温度補償がされたＲＦ信号が出力される。図４は、このような処理の流れを示す図である。
【００４３】
まず、送信機がＲＦ信号を出力する前に、温度検出器１０は、送信機の周囲の温度を検出する（ステップＳ１０）。温度検出器１０は、検出した温度に応じた電圧を表す検出温度信号を生成する。生成された検出温度信号は、温度検出器１０からＡ／Ｄ変換回路２０に送られる。Ａ／Ｄ変換回路２０は、温度検出器２０から送られてきた検出電圧信号をＡ／Ｄ変換して検出デジタル信号を生成する（ステップＳ２０）。検出デジタル信号は、検出温度をデジタル信号で表している。例えば、温度検出器１０からは検出した温度に応じた電圧をもつアナログ信号が出力されるが、このアナログ信号が検出電圧信号である。Ａ／Ｄ変換回路２０は、アナログ信号である検出電圧信号をＡ／Ｄ変換してデジタル信号である検出デジタル信号を生成することになる。これにより検出温度がデジタル信号で表される。
【００４４】
検出デジタル信号は、Ａ／Ｄ変換回路２０から温度補償処理部４０の温度特定部４２に送られる。温度特定部は、温度判定値テーブル４１を参照して、検出デジタル信号により表される検出温度がどの温度範囲にあるかを確認して、代表値を特定する（ステップＳ３０）。温度特定部４２は、例えば前述の比較処理により、検出デジタル信号が表す検出温度の温度範囲を確認する。比較処理の結果、検出温度の温度範囲が確認されると、温度特定部４２は、当該温度範囲の代表値を補正値選択回路４４へ送る。
【００４５】
補正値選択回路４４は、送信出力温度補正テーブル４３を参照して、温度特定部４４から送られてきた代表値に対応する補正値を選択する（ステップＳ４０）。送信出力温度補正テーブル４３には、代表値に対応して補正値が決められている。そのために補正値選択回路４４は、温度補正特定部４２から送られた代表値に対応する補正値を、送信出力温度補正テーブル４３から読み出すだけでよい。読み出された補正値は、補正値選択回路４４から第１乗算器４６へ送られる。
【００４６】
第１乗算器４６は、補正値選択回路４４から送られた補正値に応じて、温度補償信号を生成する。第１乗算器４６は、初期値保持部４５に保存された送信出力初期値を読み出し、これと補正値とを乗算することで温度補償信号を生成する。温度補償信号は第２乗算器４７に送られる。
第２乗算器４７は、変調信号生成回路３０から送られるデジタル変調信号と、第１乗算器から送られる温度補償信号とを乗算して温度補償済デジタル変調信号を生成する（ステップＳ５０）。これにより、ＲＦ信号の送信出力レベルの温度補償がなされる。生成された温度補償済デジタル変調信号は、第２乗算器からＤ／Ａ変換回路５０に送られる。
【００４７】
Ｄ／Ａ変換回路５０は、温度補償処理部４０の第２乗算器４７から送られた温度補償済デジタル変調信号を、アナログ信号である温度補償済ＩＦ信号にＤ／Ａ変換する（ステップＳ６０）。温度補償済ＩＦ信号は、Ｄ／Ａ変換回路５０からＲＦ信号生成部６０に送られる。ＲＦ信号生成部６０は、温度補償済ＩＦ信号からＲＦ信号を生成する（ステップＳ７０）。ＲＦ信号生成部６０は、まず、Ｄ／Ａ変換回路５０から送られる温度補償済ＩＦ信号と局部発振器６１の出力とを、ミキサ６２によりミキシングする。その後、ミキサ６２の出力をアンプ６３により増幅して、フィルタ６４によりフィルタリングすることでＲＦ信号を生成する。
ＲＦ信号生成部６０で生成されたＲＦ信号は、アンテナ７０から出力される（ステップＳ８０）。このような処理手順により、温度補償されたＲＦ信号を出力することができる。
【００４８】
間欠動作を行う送信機では、ステップＳ１０の温度検出からステップＳ６０のＲＦ信号の出力までを繰り返し行うことになる。常時送信を行う送信機では、ＲＦ信号の送信中でも常に温度検出を行い、常に温度補償されたＲＦ信号を生成する。
【００４９】
図１の送信機では、温度検出器１０で検出された検出温度を、アナログ信号である検出電圧信号で表し、この検出電圧信号をＡ／Ｄ変換回路２０によりデジタル信号に変換後に温度補償処理部４０に供給するようにしているが、これに限らず、アナログ信号のまま温度補償処理部４０に供給するようにしてもよい。第２乗算器４７に入力される温度補償信号がデジタル信号として供給されるようにすれば、デジタル処理によりデジタル変調信号によるＲＦ信号の温度補償をすることができる。そのために、温度補償信号を生成する直前まで、アナログ信号による処理とすることもできる。
例えば、温度補償処理部４０の温度特定部４２が、検出電圧信号を温度検出器１０から直接受け取り、検出電圧信号が表す検出温度がどの温度範囲に属するかを確認するようにしてもよい。温度特定部２４をアナデジ混在の回路として構成し、検出電圧信号から直接代表値を特定するようにする。つまり、本発明の検出信号には、検出電圧信号、検出デジタル信号のいずれでも用いることができる。
【００５０】
以上のような実施形態では、デジタル変調信号に対して直接的にデジタル信号処理により温度補償を行っている。そのために、従来、デジタル変調信号用と利得制御デジタル信号用の２つ設ける必要のあったＤ／Ａ変換回路を１つに削減できるようになる。それに伴い、送信機のサイズ削減や更なる省エネ化が可能となる。
この送信機は、フィードフォワード制御（開ループ制御）により送信出力レベルの温度補償を行っているので、微弱電波を送信するような送信機に好適である。
また、温度判定値テーブル４１及び送信出力温度補正テーブル３４の内容が書き換え可能であるために、送信機が使用される環境に応じてその内容を書き換えることで、様々な環境下に置かれても適切なＲＦ信号の送信出力レベルの温度補償が実現できる。
【図面の簡単な説明】
【００５１】
【図１】本実施形態の送信機の概略構成を示すブロック図である。
【図２】本実施形態の温度判定値テーブルの例示図である。
【図３】本実施形態の送信出力温度補正テーブルの例示図である。
【図４】本実施形態の送信機による、温度補償がされたＲＦ信号が出力されるまでの処理流れ図である。
【図５】従来例１による送信機の構成を示すブロック図である。
【図６】従来例２による送信機の構成を示すブロック図である。
【符号の説明】
【００５２】
１０    温度検出器
２０    Ａ／Ｄ変換回路
３０    変調信号生成回路
４０    温度補償処理部
４１    温度判定値テーブル
４２    温度特定部
４３    送信出力温度補正テーブル
４４    補正値選択回路
４５    初期値保持部
４６    第１乗算器
４７    第２乗算器
５０    Ｄ／Ａ変換回路
６０    ＲＦ信号生成部
６１    局部発振器
６２    ミキサ
６３    アンプ
６４    フィルタ
７０    アンテナ
【図１】
2006129039.tif 000003
【図２】
2006129039.tif 000004
【図３】
2006129039.tif 000005
【図４】
2006129039.tif 000006
【図５】
2006129039.tif 000007
【図６】
2006129039.tif 000008